(57)【要約】【課題】使用者が画像読取装置の前で待機している場合は、ロック機構を解除する操作を行うことなく原稿を取り出せるようにする。【解決手段】原稿の画像を読取る画像読取装置において、読取りが終了し、排紙された原稿を取り出し可能にする開閉部を有する原稿排出部と、前記原稿排出部の開閉部を閉塞した状態に施錠する原稿排出施錠部と、近接する使用者の存否を検知する人検知部と、前記人検知部により使用者が離れたことを検知したとき、前記原稿排出施錠部の施錠を行う施錠制御部とを設けた。【選択図】        図１
2010109817.tif 000002
【特許請求の範囲】
【請求項１】
原稿の画像を読取る画像読取装置において、
読取りが終了し、排紙された原稿を取り出し可能にする開閉部を有する原稿排出部と、
前記原稿排出部の開閉部を閉塞した状態に施錠する原稿排出施錠部と、
近接する使用者の存否を検知する人検知部と、
前記人検知部により使用者が離れたことを検知したとき、前記原稿排出施錠部の施錠を行う施錠制御部とを設けたことを特徴とする画像読取装置。
【請求項２】
請求項１の画像読取装置において、
読取らせる原稿の投入および取り出しを可能にする開閉部を有する原稿投入部と、
前記原稿投入部の開閉部を閉塞した状態に施錠する原稿投入施錠部とを設け、
前記人検知部により使用者が離れたことを検知したとき、前記施錠制御部は、前記原稿排出施錠部および前記原稿投入施錠部の施錠を行うことを特徴とする画像読取装置。
【請求項３】
請求項１または請求項２の画像読取装置において、
使用者の生体情報を読み取る生体情報読取部と、
前記施錠制御部が施錠を行う前に読取った使用者の生体情報を記憶しておく生体情報記憶部と、
前記生体情報読取部で読取った生体情報と前記生体情報記憶部に記憶された生体情報を照合する生体情報照合部と、
前記生体情報照合部の照合結果に基づいて前記原稿排出施錠部および／または前記原稿投入施錠部を開錠する施錠制御部とを設けたことを特徴とする画像読取装置。
【請求項４】
請求項３の画像読取装置において、
前記施錠制御部は、前記照合結果が一致の場合に前記原稿排出施錠部および／または前記原稿投入施錠部を開錠することを特徴とする画像読取装置。
【請求項５】
請求項３または請求項４の画像読取装置において、
使用者の生体情報に関連付けて通知先情報を予め記憶する前記生体情報記憶部と、
前記施錠制御部が施錠を行う前に読取った使用者の生体情報に基づいて前記生体情報記憶部を検索して抽出した通知先情報の通知先へ原稿の回収要求を送信する送信部とを設けたことを特徴とする画像読取装置。
【発明の詳細な説明】
【技術分野】
【０００１】
本発明は、スキャナやファクシミリ等の原稿の画像を読取る画像読取装置に関する。
【背景技術】
【０００２】
従来の画像読取装置は、画像を読取る原稿の盗難や盗み見を防止するため、原稿を給紙する原稿セット部および読取られた原稿が排出される原稿排出部にロック機構を備えた開閉部を設け、パスワード等の使用者を識別するための情報を入力することによりその開閉部のロック機構を解除して原稿を取り出せるようにしている（例えば、特許文献１参照）。
【特許文献１】特開２００６−３３３０２０号公報（段落「００５８」〜段落「００６３」、図２、図３）
【発明の開示】
【発明が解決しようとする課題】
【０００３】
しかしながら、上述した従来の技術においては、原稿の読取りを開始する操作を行ったときから読取られた原稿を取り出す操作を行うまでの間、開閉部をロック機構でロックするようにしているため、使用者が画像読取装置の前で待機している場合であってもロック機構によるロック機能が働き、読取られた原稿を取り出すときにそのロック機能を解除する操作を行わなければならないという問題がある。
【０００４】
本発明は、このような問題を解決することを課題とし、使用者が画像読取装置の前で待機している場合は、ロック機構を解除する操作を行うことなく原稿を取り出せるようにすることを目的とする。
【課題を解決するための手段】
【０００５】
そのため、本発明は、原稿の画像を読取る画像読取装置において、読取りが終了し、排紙された原稿を取り出し可能にする開閉部を有する原稿排出部と、前記原稿排出部の開閉部を閉塞した状態に施錠する原稿排出施錠部と、近接する使用者の存否を検知する人検知部と、前記人検知部により使用者が離れたことを検知したとき、前記原稿排出施錠部の施錠を行う施錠制御部とを設けたことを特徴とする。
【発明の効果】
【０００６】
このようにした本発明は、使用者が画像読取装置の前で待機している場合は、ロック機構を解除する操作を行うことなく原稿を取り出すことができるという効果が得られる。
【発明を実施するための最良の形態】
【０００７】
以下、図面を参照して本発明による画像読取装置の実施例を説明する。
【実施例１】
【０００８】
図１は第１の実施例における画像読取装置の外観斜視図である。
図１において、１は原稿の画像を読取る画像読取装置であり、本実施例では、画像読取装置をスキャナとして説明する。
スキャナ１は、原稿の給紙や画像の読取りを行う画像読取部１０１、使用者の操作を受付ける操作部１０２、画像を読取る原稿をセットするための原稿セット部１０３、読取った原稿が排出される原稿排出部１０４、および装置に近接する使用者の存否を検知する人検知部１０５で構成されている。
【０００９】
スキャナ１の構成を図２の第１の実施例における画像読取装置の構成を示す説明図に基づいて説明する。
図２において、スキャナ１の原稿投入部としての原稿セット部１０３は、原稿１００を載置するための原稿トレイ１３０、その原稿トレイ１３０の上方に設けられた支点１３２を回転支点として回動自在な開閉部１３１により構成されている。
【００１０】
この開閉部１３１を回動させて開放させることにより原稿トレイ１３０に原稿１００を載置および載置した原稿を取り出すことができるようになり、また開閉部１３１を回動させて閉塞させることにより原稿トレイ１３０に載置された原稿１００への触手を禁止することができるようになっている。
また、支点１３２の近傍には、開閉部１３１の回動を規制するための規制部材およびその規制部材を動作させるソレノイド等の駆動手段で構成された原稿投入施錠部としての原稿セット部用ロック部１３３が設けられ、開閉部１３１が閉塞した状態に施錠することができるようになっている。
【００１１】
画像読取部１０１は、自動原稿給紙部２０１および原稿台読取部２０２で構成されており、その原稿台読取部２０２の上部に自動原稿給紙部２０１が開閉自在に配置されている。
自動原稿給紙部２０１は、原稿検出センサ２０３、ステッピングモータ２０４、給紙ローラ２０５、搬送ローラ２０６、排紙ローラ２０７、読取位置センサ２０８、および原稿押圧板２０９で構成され、原稿セット部１０３にセットされた原稿１００を給紙する。
【００１２】
原稿検出センサ２０３は、原稿セット部１０３の原稿トレイ１３０に原稿１００が載置されたことを検知するセンサである。
ステッピングモータ２０４の駆動は、図示しないギア等の駆動伝達手段で給紙ローラ２０５、搬送ローラ２０６、および排紙ローラ２０７へ伝達されるように構成されている。
給紙ローラ２０５は、ステッピングモータ２０４の駆動に伴って回転し、原稿セット部１０３の原稿トレイ１３０に載置された原稿束から原稿を１枚ずつ分離し、分離した原稿を搬送ローラ２０６へ搬送する搬送手段である。
【００１３】
搬送ローラ２０６は、ステッピングモータ２０４の駆動に伴って回転し、給紙ローラ２０５から搬送された原稿を原稿押圧板２０９の下方を通過させ、さらに排紙ローラ２０７へ搬送する。
読取位置センサ２０８は、搬送ローラ２０６により搬送された原稿の先端が原稿読取位置に近接したことを検知するセンサである。
【００１４】
排紙ローラ２０７は、ステッピングモータ２０４の駆動に伴って回転し、搬送ローラ２０６から搬送され、原稿押圧板２０９の下方を通過して画像が読取られた原稿を自動原稿給紙部２０１の外の原稿排出部１０４へ排出する。
原稿排出部１０４は、排紙ローラ２０７で搬送され、排出された原稿を集積する原稿押圧板２１３、排出ローラ２０７の上方に設けられた支点１４２を回転支点として回動自在な開閉部１４１により構成されている。
【００１５】
この開閉部１４１を回動させて開放させることにより排出された原稿を取り出すことができるようになり、また開閉部１４１を回動させて閉塞させることにより排出された原稿への触手を禁止することができるようになっている。
また、支点１４２の近傍には、開閉部１４１の回動を規制するための規制部材およびその規制部材を動作させるソレノイド等の駆動手段で構成された原稿排出施錠部としての原稿排出部用ロック部１４３が設けられ、開閉部１４１が閉塞した状態に施錠することができるようになっている。
【００１６】
原稿台読取部２０２は、読取ユニット２１０、原稿台ガラス（２２０、２２１）、白色シート２２２、原稿押圧板２２３、ステッピングモータ２３０、プーリ２３１、駆動ベルト２３２、ホームセンサ２３３、および白色基準板２３４等で構成され、原稿の画像を読取るものである。
読取ユニット２１０は、自動原稿給紙部２０１で搬送され、光を透過する原稿台ガラス２２０上を通過する原稿に光を照射する光源２１１、その原稿により反射された光の光路を変更させる反射ミラー（２１２、２１３）、光路が変更された光を集光するレンズ２１４、レンズ２１４で集光された光を光電変換し、画像に応じたＣＣＤ（Ｃｈａｒｇｅ  Ｃｏｕｐｌｅｄ  Ｄｅｖｉｃｅ）センサ２１５で構成され、自動原稿給紙部２０１で給紙された原稿の画像を読取る。
【００１７】
ステッピングモータ２３０およびプーリ２３１に張架された無端状の駆動ベルト２３２は、そのステッピングモータ２３０の回転が伝達されるようになっている。
この駆動ベルト２３２は、読取ユニット２１０に固定されており、ステッピングモータ２３０を回転させることにより、その読取ユニット２１０を原稿台ガラス２２０および原稿台ガラス２２１に沿って移動させることができるようになっている。したがって、読取ユニット２１０は、ステッピングモータ２３０の回転に伴って動作する駆動ベルト２３２により原稿台ガラス２２１に沿って移動し、光を透過する原稿台ガラス２２１上に載置された原稿を走査し、その画像を読取ることができるようにもなっている。
【００１８】
ホームセンサ２３３は、駆動ベルト２３２により移動する読取ユニット２１０が所定の位置に移動したことを検知するセンサである。このホームセンサ２３３で検知された位置を基準としてステッピングモータ２３０により読取ユニット２１０を所定の位置へ移動させる制御が行えるようになっている。
白色補正板２３４は、ＣＣＤセンサ２１５の素子が出力する電圧のばらつきを平滑化するためのシェーディング補正処理時に基準となるセンサ出力データを取得する際に読取られるものであり、原稿台ガラス（２１０、２１１）の読取り範囲外に配置されている。
【００１９】
次に、スキャナ１の制御系の構成を図３の第１の実施例における画像読取装置の構成を示すブロック図に基づいて説明する。
図３において、主制御部３０１は、ＣＰＵ（Ｃｅｎｔｒａｌ  Ｐｒｏｃｅｓｓｉｎｇ  Ｕｎｉｔ）等の制御手段であり、不揮発性記憶装置であるＲＯＭ（Ｒｅａｄ  Ｏｎｌｙ  Ｍｅｍｏｒｙ）３０３に格納されている制御プログラムに基づいてスキャナ１全体を制御する。
【００２０】
画像読取部１０１は、主制御部３０１により制御され、原稿から画像を読取り、画像データを生成する。
操作部１０２は、スキャナ１の使用者による動作指示を操作ボタン等の入力手段で受付け、またスキャナ１の状態等を液晶ディスプレイ等の表示手段に表示する。
また、操作部１０２には、使用者の生体情報を読取るための指紋読取部３０５が配置されており、使用者の指紋を生体情報として読取ることができるようになっている。
【００２１】
指紋読取部３０５により読取られた使用者の指紋は、メモリ等の記憶手段で構成された指紋記憶部３１０に記憶させることができるようになっており、この指紋記憶部３１０には、予めスキャナ１を使用することができる使用者の指紋を記憶させ、またスキャナ１を使用する使用者の指紋を記憶させる。
指紋照合部３０６は、指紋読取部３０５で読取られた使用者の指紋を指紋記憶部３１０に予め記憶された指紋と照合する。
【００２２】
人検知部１０５は、スキャナ１の前面に使用者が存在するか否かを検知する。この人検知部１０５には、従来から用いられているセンサを適宜使用することができ、このようなセンサの例として、例えば発光素子および受光素子で構成され、発光素子から光を照射し、その反射光を受光素子で受光して使用者の有無を検知するものが挙げられる。また、別の態様では、スキャナ１から電波を放射し、使用者が所持しているアンテナを内蔵するカードが近くに存在するか否かを検知するようにしてもよい。
【００２３】
施錠制御部としてのロック制御部３０７は、スキャナ１が使用されておらず所定の時間を経過した後や原稿読取り中に、使用者がスキャナ１から離れたことが人検知部１０５により検知された場合、原稿セット部１０３に備えられた原稿セット部用ロック部１３３および原稿排出部１０４に備えられた原稿排出部用ロック部１４３のロックを行う。
また、ロック制御部３０７は、スキャナ１が所定の時間使用がなく、人検知部１０５により使用者が検知されなかった場合も原稿セット部用ロック部１３３および原稿排出部用ロック部１４３のロックを行う。
【００２４】
原稿セット部用ロック部１３３および原稿排出部用ロック部１４３がロックされた場合、そのロックの解除には、ロック解除を行う人の指紋を指紋読取部３０５で読取り、読取った指紋と指紋記憶部３１０に予め記憶されている指紋との照合が必要なる。
その指紋の照合は、指紋照合部３０６で行われ、その照合の結果、一致した場合、ロック制御部３０７が原稿セット部用ロック部１３３および原稿排出部用ロック部１４３のロックを解除する。
【００２５】
ＲＡＭ（Ｒａｎｄｏｍ  Ａｃｃｅｓｓ  Ｍｅｍｏｒｙ）３０４は、読取った原稿の画像データの一時蓄積や制御データの一時格納に使用される記憶部である。Ｉ／Ｆ（ｉｎｔｅｒＦａｃｅ）制御部３０２はデータ通信バス３１２と接続され、外部装置３１１に画像データを送信する。この外部装置３１１は、例えばプリンタやパーソナルコンピュータであり、データ通信バス３１２は、例えばＵＳＢ（ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）である。
【００２６】
次に、操作部１０２を図４の第１の実施例における画像読取装置の操作部の説明図に基づいて説明する。
表示部４０１は、使用者への指示や情報、スキャナ１の状態等を出力するための液晶ディスプレイやＬＥＤ（Ｌｉｇｈｔ  Ｅｍｉｔｔｉｎｇ  Ｄｉｏｄｅ）ディスプレイ等の表示装置である。
【００２７】
メニューボタン４０２は、原稿読取メニューを表示させるためのボタンであり、決定ボタン４０３は、スキャナ１の動作メニューを決定するためのボタンであり、キャンセルボタン４０４は、決定を取り止める場合に使用するボタンである。
また、開始ボタン４０５は、原稿を読取る動作を開始させるためのボタンであり、操作ボタン４０６は、英数字の入力やメニュー項目を移動させるためのボタンである。
【００２８】
さらに、指紋読取部３０５は、使用者の指紋を読取るものである。
上述した構成の作用を図５の第１の実施例における画像読取装置の動作を示すフローチャートの図中Ｓで表すステップに従い、図３および図４を参照しながら説明する。なお、本実施例では、読取り原稿を原稿セット部１０３の原稿トレイ１３０上に載置する場合を説明するものである。
【００２９】
Ｓ１０１：主制御部３０１は、前回のスキャナ１の使用終了から所定の時間が経過しているかを判定する。所定の時間が経過していると判定すると処理をＳ１０３へ移行し（ＹＥＳ）、経過していないと判定すると処理をＳ１０２へ移行する（ＮＯ）。
Ｓ１０２：主制御部３０１は、人検知部１０５が使用者を検知しているか否かを判定する。使用者の存在を検知していると判定すると原稿セット部１０３の原稿セット部用ロック部１３３はロックされていない状態であるため、指紋による認証を行う必要がないので処理をＳ１０８へ移行し（ＹＥＳ）、使用者の存在を検知していないと判定すると処理をＳ１０１へ移行し（ＮＯ）、所定時間の経過の監視を継続する。
【００３０】
Ｓ１０３：所定の時間が経過していると判定されるとロック制御部３０７は、原稿セット部１０３に備えられた原稿セット部用ロック部１３３をロックする。
Ｓ１０４：原稿セット部用ロック部１３３がロックされた後、使用者がスキャナ１を使用する場合、原稿セット部用ロック部１３３のロックを解除するため、指紋読取部３０５は使用者の指紋を読取る。
【００３１】
Ｓ１０５：指紋照合部３０６は、指紋読取部３０５で読取った使用者の指紋と指紋記憶部３１０に予め記憶されている指紋とを照合する。
Ｓ１０６：主制御部３０１は、指紋照合部３０６が行った照合の結果、指紋読取部３０５で読取った使用者の指紋が指紋記憶部３１０に装置使用可能者として予め記憶されている指紋に一致すると判定すると処理をＳ１０７へ移行し（ＹＥＳ）、一致しないと判定すると指紋の照合の結果が一致しない旨を操作部１０２の表示部４０１に表示し、原稿セット部用ロック部１３３のロックを解除することなく処理をＳ１０４へ戻す（ＮＯ）。したがって、指紋の照合の結果が一致しない場合、その使用者はスキャナ１を使用することができない。
【００３２】
Ｓ１０７：一致すると判定されるとロック制御部３０７は、原稿セット部用ロック部１３３のロックを解除し、スキャナ１を使用することができるようになる。このとき、主制御部３０１は、指紋読取部３０５で読取った指紋を使用者情報として指紋記憶部３１０へ記憶させる。
Ｓ１０８：使用者は原稿セット部１０３の開閉部１３１を開放して原稿トレイ１３０上に原稿を載置してセットする。
【００３３】
Ｓ１０９：原稿を原稿セット部１０３にセットした後、使用者は操作部１０２の開始ボタン４０５を押下して原稿の読取りを開始させる。開始ボタン４０５の押下を検知すると主制御部３０１は、原稿セット部１０３にセットされた原稿を１枚ずつ分離して搬送し、原稿読取部１０１で原稿の画像を読取る動作を開始する。
Ｓ１１０：原稿を読取る動作を開始すると人検知部１０５は、原稿の読取動作中にスキャナ１の前面に使用者が存在するか否かを監視し、使用者が存在しないことを検知すると処理をＳ１１３へ移行し（ＮＯ）、使用者が存在することを検知しているときは処理をＳ１１１へ移行する（ＹＥＳ）。
【００３４】
Ｓ１１１：使用者が存在することを検知すると主制御部３０１は、原稿の読取り動作を行う。なお、原稿読取部１０１で読取られた原稿は原稿排出部１０４へ排出される。
Ｓ１１２：主制御部３０１は、原稿セット部１０３にセットされたすべての原稿の読取りが終了したか否かを判定する。すべての原稿の読取りが終了していないと判定されると処理をＳ１１０へ移行して（ＮＯ）原稿の読取り動作を継続し、すべての原稿の読取りが終了したと判定されると処理をＳ１２０へ移行する（ＹＥＳ）。
【００３５】
Ｓ１２０：使用者がスキャナ１から離れることなく、すべての原稿の読取りが終了した場合、原稿セット部用ロック部１３３および原稿排出部用ロック部１４３はロックされないので使用者は原稿の読取り動作が終了した後、原稿排出部１０４の開閉部１４１を開放して読取り済みの原稿を回収して終了する。
Ｓ１１３：一方、Ｓ１１０において、使用者がスキャナ１から離れ、人検知部１０５が使用者の存在を検知できなくなるとロック制御部３０７は、原稿セット部１０３に備えられた原稿セット部用ロック部１３３および原稿排出部１０４に備えられた原稿排出部用ロック部１４３をロックし、原稿の持ち去りや情報の漏洩を防止する。
【００３６】
Ｓ１１４：原稿セット部用ロック部１３３および原稿排出部用ロック部１４３をロックすると主制御部３０１は、原稿の読取り動作を行う。なお、原稿読取部１０１で読取られた原稿は原稿排出部１０４へ排出される。
Ｓ１１５：主制御部３０１は、原稿セット部１０３にセットされたすべての原稿の読取りが終了したか否かを判定する。すべての原稿の読取りが終了していないと判定されると処理をＳ１１４へ移行して（ＮＯ）原稿の読取り動作を継続し、すべての原稿の読取りが終了したと判定されると処理をＳ１１６へ移行する（ＹＥＳ）。
【００３７】
このように人検知部１０５により、使用者が原稿の読取り動作中にスキャナ１から離れたことを検知した場合、原稿セット部用ロック部１３３および原稿排出部用ロック部１４３がロックされるため、読取り済みの原稿を回収するとき原稿排出部用ロック部１４３のロックを解除しなければならない。この原稿排出部用ロック部１４３のロックを解除する動作を以下に説明する。
【００３８】
Ｓ１１６：読取った原稿を回収しようとする使用者は、原稿排出部用ロック部１４３のロックを解除するため、指紋読取部３０５で指紋を読取らせる。
Ｓ１１７：指紋照合部３０６は、指紋読取部３０５で読取った使用者の指紋と指紋記憶部３１０に記憶されている使用者情報の指紋とを照合する。
Ｓ１１８：主制御部３０１は、指紋照合部３０６が行った照合の結果、指紋読取部３０５で読取った使用者の指紋が指紋記憶部３１０に使用者情報として記憶されている指紋に一致すると判定すると処理をＳ１１９へ移行し（ＹＥＳ）、一致しないと判定すると指紋の照合の結果が一致しない旨を操作部１０２の表示部４０１に表示し、原稿排出部用ロック部１４３のロックを解除することなく処理をＳ１１６へ戻す（ＮＯ）。したがって、指紋の照合の結果が一致しない場合、その使用者は読取った原稿を回収することができない。
【００３９】
Ｓ１１９：一致すると判定されるとロック制御部３０７は、セット部用ロック部１３３および原稿排出部用ロック部１４３のロックを解除する。原稿排出部用ロック部１４３のロックを解除することにより、使用者は読取り済みの原稿を原稿排出部１０４から回収することができるようになる。
Ｓ１２０：原稿セット部用ロック部１３３および原稿排出部用ロック部１４３のロックが解除されると使用者は原稿排出部１０４の開閉部１４１を開放して読取り済みの原稿を回収して終了する。
【００４０】
このように使用者が画像読取装置の前面で原稿を監視している場合は原稿排出部の開閉部をロックしないようにしたことにより、使用者はその開閉部のロックを解除することなく読取り済みの原稿を回収することができるようになり、使用者の利便性が向上する。
なお、本実施例では、使用者の生体情報として指紋を使用するものとして説明したが、生体情報は指紋に限られるものでなく、例えば瞳の中の虹彩、掌形、掌や指の血管の形、声紋、顔形、筆跡としてもよい。
【００４１】
以上説明したように、第１の実施例では、使用者が画像読取装置の前面で原稿を監視している場合は原稿排出部の開閉部をロックしないようにしたことにより、使用者はその開閉部のロックを解除することなく読取り済みの原稿を回収することができるようになるという効果が得られる。
【実施例２】
【００４２】
第２の実施例の構成は、指紋記憶部に記憶される情報の構成が異なることが第１の実施例の構成と異なる。その指紋記憶部の構成を図６の第２の実施例における指紋記憶部の構成の説明図に基づいて説明する。なお、上述した第１の実施例における図１から図３と同様の部分は、同一の符号を付してその説明を省略する。
図３におけるスキャナ１の指紋記憶部３１０には、図６に示す装置使用可能者指紋３２０およびその使用者のメールアドレス３２１が予め記憶される。
【００４３】
図６において、装置使用可能者指紋３２０は、スキャナ１の使用が許可された使用者の指紋である。
また、アドレス情報としてのメールアドレス３２１は、使用者に読取った原稿の回収が必要である旨を通知するための通知先情報である。
スキャナ１を使用する使用者を人検知部１０５が検知し、その使用者の指紋を指紋読取部３０５で読取り、読取った指紋がスキャナ１の使用が許可された使用者の指紋との照合の結果一致した場合に、主制御部３０１は読取った指紋を使用者情報（装置使用者指紋３２２）として指紋記憶部３１０に記憶すると同時に装置使用可能者指紋３２０に関連付けて記憶されたメールアドレス３２１も使用者情報（メールアドレス３２３）として指紋記憶部３１０に記憶しておく。
【００４４】
主制御部３０１は、すべての原稿の読取り動作が終了した後、原稿排出部用ロック部１４３が所定の時間を超えてもロック状態であることをロック制御部３０７より通知を受けると指紋記憶部３１０に使用者情報として使用者の指紋と一緒に記憶されたメールアドレス３２３を読出し、送信部としてのＩ／Ｆ制御部３０２を制御してそのメールアドレス３２３を通知先としてメッセージを送信し、使用者に読取済みの原稿の回収を促す。
【００４５】
上述した構成の作用を図７の第２の実施例における画像読取装置の動作を示すフローチャートの図中Ｓで表すステップに従い、図３および図４を参照しながら説明する。なお、本実施例でも第１の実施例と同様に、読取り原稿を原稿セット部１０３の原稿トレイ１３０上に載置する場合を説明する。
Ｓ１０１〜Ｓ１０６：図５におけるＳ１０１〜Ｓ１０６と同様の処理なのでその説明を省略する。
【００４６】
Ｓ１０７：一致すると判定されるとロック制御部３０７は、原稿セット部用ロック部１３３のロックを解除し、スキャナ１を使用することができるようにする。このとき、主制御部３０１は、指紋読取部３０５で読取った指紋を使用者情報（図６に示す装置使用者指紋３２２）として指紋記憶部３１０へ記憶させると同時に指紋記憶部３１０の装置使用可能者指紋３２０に関連付けて記憶されたメールアドレス３２１も使用者情報（図６に示すメールアドレス３２３）として指紋記憶部３１０に記憶させる。
【００４７】
Ｓ１０８〜Ｓ１１４：図５におけるＳ１０８〜Ｓ１１４と同様の処理なのでその説明を省略する。
Ｓ１１５：主制御部３０１は、原稿セット部１０３にセットされたすべての原稿の読取りが終了したか否かを判定する。すべての原稿の読取りが終了していないと判定されると処理をＳ１１４へ移行して（ＮＯ）原稿の読取り動作を継続し、すべての原稿の読取りが終了したと判定されると処理をＳ２０１へ移行する（ＹＥＳ）。
【００４８】
Ｓ２０１：すべての原稿の読取りを終了すると人検知部１０５は、スキャナ１の前面に使用者が存在するか否かを監視し、使用者が存在しないことを検知すると処理をＳ２０２へ移行し（ＮＯ）、使用者が存在することを検知しているときは処理をＳ１１６へ移行する（ＹＥＳ）。
なお、使用者が存在することを検知しているときのＳ１１６〜Ｓ１２０の処理は、図５におけるＳ１１６〜Ｓ１２０の処理と同様なのでその説明を省略する。
【００４９】
Ｓ２０２：主制御部３０１は、ロック制御部３０７からの通知により、すべての原稿の読取り終了から所定の時間が経過しているかを判定する。所定の時間が経過していると判定すると処理をＳ２０３へ移行し（ＹＥＳ）、経過していないと判定すると処理をＳ２０１へ移行する（ＮＯ）。
Ｓ２０３：所定の時間が経過していると判定すると主制御部３０１は指紋記憶部３１０に使用者情報として記憶されている使用者のメールアドレス３２３をアドレス情報として呼び出す。
【００５０】
Ｓ２０４：主制御部３０１は、呼び出したアドレス情報に基づいて使用者に「原稿の読取が終了しました。原稿の回収を行ってください。」等のメッセージをＩ／Ｆ制御部３０２から送信し、処理をＳ２０１へ戻して再び使用者の検知を行う。
所定の時間が経過する前に使用者が検知されなかった場合は再び原稿の回収を促すメッセージを送信するように使用者が検知できるまでＳ２０１からＳ２０４の処理を繰り返す。
【００５１】
このように使用者が原稿を読取っている動作中に画像読取装置の前から離れた場合、所定時間経過後に読取り済みの原稿を回収することを促すメッセージを使用者へ送信するようにしたことにより、読取り済みの原稿を回収することを忘れている使用者に原稿の回収が必要なことを知らせることができるようになり、使用者の利便性が向上する。
以上説明したように、第２の実施例では、第１の実施例の効果に加え、使用者が原稿を読取っている動作中に画像読取装置の前から離れた場合、所定時間経過後に読取り済みの原稿を回収することを促すメッセージを使用者へ送信するようにしたことにより、読取り済みの原稿を回収することを忘れている使用者に原稿の回収が必要なことを知らせることができるという効果が得られる。
【００５２】
なお、第１の実施例および第２の実施例において、本発明を適用する画像読取装置をスキャナとして説明したが、スキャナに限られることなく複合機（ＭＦＰ）やファクシミリとしてもよい。
【図面の簡単な説明】
【００５３】
【図１】第１の実施例における画像読取装置の外観斜視図
【図２】第１の実施例における画像読取装置の構成を示す説明図
【図３】第１の実施例における画像読取装置の構成を示すブロック図
【図４】第１の実施例における画像読取装置の操作部の説明図
【図５】第１の実施例における画像読取装置の動作を示すフローチャート
【図６】第２の実施例における指紋記憶部の構成の説明図
【図７】第２の実施例における画像読取装置の動作を示すフローチャート
【符号の説明】
【００５４】
１    画像読取装置
１０１  画像読取部
１０２  操作部
１０３  原稿セット部
１０４  原稿排出部
１０５  人検知部
１３０  原稿トレイ
１３１  開閉部
１３２、１４２  支点
１３３  原稿セット部用ロック部
１４１  開閉部
１４３  原稿排出部用ロック部
２０１  自動原稿給紙部
２０２  原稿台読取部
２０３  原稿検出センサ
２０４、２３０  ステッピングモータ
２０５  給紙ローラ
２０６  搬送ローラ
２０７  排紙ローラ
２０８  読取位置センサ
２１０  読取ユニット
【図１】
2010109817.tif 000003
【図２】
2010109817.tif 000004
【図３】
2010109817.tif 000005
【図４】
2010109817.tif 000006
【図５】
2010109817.tif 000007
【図６】
2010109817.tif 000008
【図７】
2010109817.tif 000009